(57)【要約】【課題】  貯水設備の取入口への人間の吸い付き事故を抑制する。【解決手段】  貯水槽と、貯水槽の内壁面６３に設けられた第１の排水開口部に接続した第１排水配管７７と、内壁面６３に設けられた第２の排水開口部に一方の端部を接続し、第１排水配管７７に他方の端部を接続した第２排水配管７８と、第１排水配管７７と第２排水配管７８に接続した共通排水配管７９と、共通排水配管７９に接続された循環ポンプ７１と、第１排水配管７７に設けられた第１電磁バルブ８２と、第２排水配管７８に設けられた第２電磁バルブ８３と、第１電磁バルブ８２と第２電磁バルブ８３とを制御する制御装置７６ａを備える。【選択図】  図５
2019039295.tif 000002
【特許請求の範囲】
【請求項１】
貯水槽と、
該貯水槽の内壁面に設けられた第１の排水開口部に一方の端部を接続した第１排水配管と、
前記貯水槽の内壁面に設けられた第２の排水開口部に一方の端部を接続し、前記第１排水配管の他方の端部に他方の端部を接続した第２排水配管と、
前記第１排水配管と前記第２排水配管の接続箇所に一方の端部を接続した共通排水配管と、
該共通排水配管の他方の端部に接続され、前記第１排水配管、前記第２排水配管及び前記共通排水配管を介して、前記貯水槽中の水を排水し、循環濾過する循環ポンプと、
前記第１排水配管に設けられ、前記第１排水配管を流れる排水の移動を制御する第１電磁バルブと、
前記第２排水配管に設けられ、前記第２排水配管を流れる排水の移動を制御する第２電磁バルブと、
前記第１電磁バルブと前記第２電磁バルブとを一定周期で相補的に開閉する制御を行う制御装置と、
を備えることを特徴とする貯水設備。
【請求項２】
前記第１排水配管内の連成圧を測定する第１の連成計と、
前記第２排水配管内の連成圧を測定する第２の連成計と、
を更に備え、
前記第１排水配管内の連成圧又は前記第２排水配管内の連成圧が閾値以上の負圧のとき、前記循環ポンプの駆動を停止することを特徴とする請求項１に記載の貯水設備。
【請求項３】
貯水設備に２系統の排水配管を設けて、前記２系統の排水配管による排水を相補的に交互駆動することを特徴とする貯水設備の循環濾過方法。
【発明の詳細な説明】
【技術分野】
【０００１】
本発明は、プールや浴槽等の貯水設備及び貯水設備の循環濾過方法に関する。
【背景技術】
【０００２】
循環型プール等の貯水設備の内壁面や底面に設けられた取入口（循環水配管端部）に、人間の身体が吸い付いたことによる死亡事故が報告されている。身体の一部分が接触して吸い付いた場合に、身体にかかる吸水圧を低下させる技術としては、取入口の蓋の通水孔が形成された領域を湾曲させる技術が知られている（特許文献１参照。）。しかしながら、特許文献１の取入口の蓋を、プールの内壁面に取り付けたり取り外したりする場合、蓋の形状の大部分が湾曲しているため、蓋を手でしっかりと掴んで支持することが困難となり、作業負担が大きいという問題がある。
【先行技術文献】
【特許文献】
【０００３】
【特許文献１】特開２０１１−１７２６号公報
【発明の概要】
【発明が解決しようとする課題】
【０００４】
本発明は上記の問題に着目して為されたものであって、取入口（循環水配管端部）への人間の身体の吸い付き事故を抑制できる貯水設備及びその循環濾過方法(稼働方法)を提供することを目的とする。
【課題を解決するための手段】
【０００５】
上記目的を達成するために、本発明の第１の態様は、(a)貯水槽と、(b)この貯水槽の内壁面に設けられた第１の排水開口部に一方の端部を接続した第１排水配管と、(c)貯水槽の内壁面に設けられた第２の排水開口部に一方の端部を接続し、第１排水配管の他方の端部に他方の端部を接続した第２排水配管と、(d)第１排水配管と第２排水配管の接続箇所に一方の端部を接続した共通排水配管と、(e)この共通排水配管の他方の端部に接続され、第１排水配管、第２排水配管及び共通排水配管を介して、貯水槽中の水を排水し、循環濾過する循環ポンプと、(f)第１排水配管に設けられ、第１排水配管を流れる排水の移動を制御する第１電磁バルブと、(g)第２排水配管に設けられ、第２排水配管を流れる排水の移動を制御する第２電磁バルブと、(h)第１電磁バルブと第２電磁バルブとを一定周期で相補的に開閉する制御を行う制御装置を備える貯水設備であることを要旨とする。
【０００６】
本発明の第２の態様は、貯水設備に２系統の排水配管を設けて、２系統の排水配管による排水を相補的に交互駆動する貯水設備の循環濾過方法であることを要旨とする。
【発明の効果】
【０００７】
本発明に係る貯水設備によれば、取入口（循環水配管端部）への人間の身体の吸い付き事故を抑制できる。
【図面の簡単な説明】
【０００８】
【図１】第１の実施の形態に係る貯水設備を、一部を断面して模式的に説明するブロック図である。
【図２】第１の実施の形態に係る貯水設備を用いた排水方法を説明するフローチャートである。
【図３】第１の実施の形態の第１変形例に係る貯水設備を模式的に説明する断面図である。
【図４】第１の実施の形態の第２変形例に係る貯水設備を模式的に説明する断面図である。
【図５】第２の実施の形態に係る貯水設備を上面から見て模式的に説明するブロック図である。
【発明を実施するための形態】
【０００９】
次に、図面を参照して、本発明の第１及び第２の実施の形態を説明する。以下の図面の記載において、同一又は類似の部分には同一又は類似の符号を付している。但し、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることは勿論である。また図面相互間において同一又は類似の符号を付した部材は、互いに等価な構造であり、それぞれの部材を説明する際、重複する箇所の説明は適宜省略する。
【００１０】
また以下に示す第１及び第２の実施の形態は、本発明の技術的思想を具体化するための装置や方法を例示するものであって、本発明の技術的思想は、構成部品の材質、形状、構造、配置等を下記のものに特定するものではない。本発明の技術的思想は、特許請求の範囲に記載された請求項が規定する技術的範囲内において、種々の変更を加えることができる。更に、以下の説明における「左右」や「上下」の方向は、単に説明の便宜上の定義であって、本発明の技術的思想を限定するものではない。よって、例えば、紙面を９０°回転すれば「左右」と「上下」とは交換して読まれ、紙面を１８０°回転すれば「左」が「右」に、「右」が「左」になることは勿論である。
【００１１】
−−第１の実施の形態−−
＜貯水設備の構造＞
第１の実施の形態に係る貯水設備は、貯水槽（プール）と、この貯水槽の内壁面に設けられた取入口（循環水配管端部）６１ａに一方の端部を接続した排水配管６２と、この排水配管６２の他方の端部に接続され、排水配管６２を介して、貯水槽中の水を排水し、循環濾過する循環ポンプ７１と、排水配管６２内の連成圧（ゲージ圧）を測定する連成計（連成圧測定装置）１０と、この連成計１０が測定した連成圧が閾値以上の負圧のとき、循環ポンプ７１の駆動を停止する制御装置７６とを備える。連成計１０は取入口（循環水配管端部）６１ａの吸い込み口側に設けられ、吸い込み口側の連成圧が正圧か負圧であるかを、大気圧＝０Ｐａ（基準値）として測定するゲージ圧ゲージである。
【００１２】
貯水設備は、例えば図１の断面図に示したような遊泳用の貯水設備であり、取入口６１ａは、貯水設備の水を循環濾過させるために用いられる。貯水設備は、図１に示すように、貯水槽の底面６４及びこの貯水槽の底面６４の周囲から上側に鉛直に立ち上がる貯水槽の内壁面６３を有する貯水槽躯体６０を備え、貯水槽の底面６４及び貯水槽の内壁面６３で囲まれた凹部の内側に水を貯えて貯水領域７０を形成する。貯水領域７０では人間が遊泳可能である。図示を省略しているが、循環ポンプ７１の出力側には、必要に応じて、ゴミ採集用の装置や殺菌装置が接続されている。そして、ゴミ等の微細な固形物の除去や殺菌処理に必要な薬品の投入や紫外線照射等の必要な処理を実施した後、図示を省略した吐出配管等を経由して貯水槽へ吐出される。
【００１３】
貯水槽の内壁面６３には、貯水領域７０側に開口する略直方体状の凹部が排水桝６１として設けられ、排水桝６１の貯水領域７０側の開口部の１面が貯水設備の取入口６１ａをなしている。貯水設備は、図１に示した蓋１ｚを、取入口６１ａに取り付けて備える。取入口６１ａは、貯水領域７０側から正面視したときに、１辺が３０ｃｍ程度の長さの略正方形状である。排水桝６１の取入口６１ａと反対側の面には、貯水槽躯体６０の内側に設けられ、貯水領域７０の水を吸引する排水配管６２の一端が開口している。また排水配管６２の他端は、循環ポンプ７１に接続されている。
【００１４】
循環ポンプ７１は循環ポンプ７１を駆動するモータ７２に接続され、モータ７２はスイッチ７３を介して電源７４に接続され電源７４からモータ７２に電力が供給される。スイッチ７３のオンオフは、スイッチ７３に接続された制御装置７６によって制御される。スイッチ７３にはタイマ７５が接続されている。またタイマ７５は制御装置７６に接続され、タイマ７５の動作は制御装置７６によって制御される。
【００１５】
制御装置７６には、連成計１０からのゲージ圧のデータが経時的に入力される。制御装置７６は、図１に示すように、圧力比較部７６１と、電力遮断部７６２と、タイマ起動部７６３とを備えるプロセッサ等で構成可能である。したがって、圧力比較部７６１、電力遮断部７６２、タイマ起動部７６３等は例えば演算論理回路等のコンピュータシステムのハードウェア資源で構成できるが、ディジタル処理を実行するハードウェア資源に限定されるものではない。即ち、連成計１０が測定した連成圧が閾値以上の負圧のとき、循環ポンプ７１の駆動を停止する機能を有していれば、制御装置７６はアナログ的な電気回路であっても、機械的な機構であっても構わない。制御装置７６が演算論理回路等で構成されている場合は、制御装置７６の圧力比較部７６１は、入力されたゲージ圧のデータの値を閾値と比較する。閾値は、例えば取入口６１ａに人間が吸い付いた場合に発生する負圧の大きさに応じて設定される。閾値は、経験測或いはシミュレーション等によって、適宜設定可能である。
【００１６】
制御装置７６が演算論理回路等で構成されている場合で説明すると、制御装置７６の電力遮断部７６２は、ゲージ圧が閾値以上の負圧のとき、モータ７２と電源７４の間のスイッチ７３をオフにし、排水配管６２に接続された循環ポンプ７１の駆動を停止する。制御装置７６のタイマ起動部７６３は、スイッチ７３がオフになった後、タイマ７５を起動する。タイマ７５は、起動すると、一定の遅延時間の経過後、モータ７２と電源７４の間のスイッチ７３を自動的にオンにする。タイマ７５の起動により、モータ７２への電力供給が復旧され循環ポンプ７１の駆動が自動的に再開される。
【００１７】
−−貯水設備の循環濾過方法−−
まず例えば遊泳中である等、貯水設備は稼働中であって、モータ７２と電源７４の間のスイッチ７３がオンであり、循環ポンプ７１が駆動されているものとする。次に図２中のステップＳ１において、連成計１０を用いて排水配管６２内のゲージ圧を常時測定する。
【００１８】
次にステップＳ２において、制御装置７６の圧力比較部７６１を用いて、測定したゲージ圧を閾値と比較する。次にステップＳ３において、測定したゲージ圧が閾値未満である場合、ステップＳ１に戻り、再度、排水配管６２内のゲージ圧の測定を繰り返す。一方、貯水設備の取入口６１ａに人間が吸い付いた場合、排水配管６２内のゲージ圧は負圧方向に急激に上昇する。ステップＳ３において、測定したゲージ圧が閾値以上の負圧である場合、ステップＳ４に移行し、制御装置７６の電力遮断部７６２を用いて、スイッチ７３をオフにし、循環ポンプ７１の駆動を停止する。
【００１９】
次にステップＳ５において、制御装置７６のタイマ起動部７６３を用いて、タイマ７５を起動する。そして一定の遅延時間の経過後、ステップＳ６において、スイッチ７３が自動的にオンになり、モータ７２への電力供給が自動的に復旧し、循環ポンプ７１の駆動を自動的に再開する。その後ステップＳ７において、貯水設備の循環濾過を続行する場合には、ステップＳ１に戻り、再度、排水配管６２内のゲージ圧の測定以降の処理を繰り返す。一方、貯水設備の循環濾過を中止する場合には、第１の実施の形態に係る貯水設備の循環濾過方法は終了する。
【００２０】
第１の実施の形態に係る貯水設備によれば、取入口６１ａに人間が吸い付くような排水配管６２内のゲージ圧が急激に負圧側に変動する場合、自動的に循環ポンプ７１の駆動を停止する。そのため、吸い付いた人間にかかる吸引力を消失させ、吸い付いた人間を取入口６１ａから容易に離脱させることが可能になり、吸い付き事故を迅速かつ確実に防止できる。
【００２１】
また第１の実施の形態に係る貯水設備によれば、循環ポンプ７１の駆動停止後、タイマ７５を起動して、一定の遅延時間の経過後、循環ポンプ７１の駆動を自動的に再開するので、貯水設備の循環濾過が中断される時間を抑制することができる。
【００２２】
＜第１変形例＞
第１の実施の形態に係る貯水設備においては、図３に示すように、貯水槽とポンプの間の排水配管６２の内部の取入口６１ａの近傍に、ゴミ採集用の金網等を内部スクリーン８０として設け、蓋１ｚと同時に使用し、循環水の清浄化を図ってもよい。例えば内部スクリーン８０の厚みｔは２５ｍｍ程度、網目の幅は５０ｍｍ程度に設定できる。
【００２３】
＜第２変形例＞
また図４に示すように、内部スクリーン８０の他にも、貯水設備の取入口６１ａと循環ポンプ７１の間に、別途、掻き出し機能を備えるオートストレーナ等の濾過装置８１を設け、循環水の清浄化を更に図ることもできる。図４中の排水配管６２の循環ポンプ７１より下流の領域では、例えば塩素消毒装置等を設けることができる。
【００２４】
−−第２の実施の形態−−
第２の実施の形態に係る貯水設備は、図５に示すように、貯水槽と、この貯水槽の内壁面６３に設けられた第１の排水開口部(６１ａ１，６１ａ２，６１ｂ１，６１ｂ２)に一方の端部を接続した第１排水配管７７と、貯水槽の内壁面６３に設けられた第２の排水開口部(６１ｃ１，６１ｃ２，６１ｄ１，６１ｄ２)に一方の端部を接続し、第１排水配管７７の他方の端部に他方の端部を接続した第２排水配管７８と、第１排水配管７７と第２排水配管７８の接続箇所に一方の端部を接続した共通排水配管７９と、この共通排水配管７９の他方の端部に接続され、第１排水配管７７、第２排水配管７８及び共通排水配管７９を介して、貯水槽中の水を排水し、循環濾過する循環ポンプ７１と、第１排水配管７７に設けられ、第１排水配管７７を流れる排水の移動を制御する第１電磁バルブ８２と、第２排水配管７８に設けられ、第２排水配管７８を流れる排水の移動を制御する第２電磁バルブ８３と、第１電磁バルブ８２と第２電磁バルブ８３とを一定周期で相補的に開閉する制御を行う制御装置７６ａを備える。
【００２５】
第１電磁バルブ８２と第２電磁バルブ８３が相補的に開閉することにより、排水に際して第１の取入口６１ａ１，６１ａ２，６１ｂ１，６１ｂ２及び第２の取入口６１ｃ１，６１ｃ２，６１ｄ１，６１ｄ２が一定周期で切り換えられて稼働する。第２の実施の形態に係る貯水設備においても、第１の実施の形態に係る貯水設備と同様に、貯水設備の取入口に接続された配管内の連成圧（ゲージ圧）を測定する連成計を備え、ゲージ圧が閾値以上の負圧のとき、配管に接続された循環ポンプの駆動を停止するようにできるが、連成計による循環ポンプの自動的な停止制御の機能は必ずしも必要ではない。
【００２６】
第１の排水開口部（６１ａ１，６１ａ２，６１ｂ１，６１ｂ２）をなす４個の第１の取入口６１ａ１，６１ａ２，６１ｂ１，６１ｂ２はいずれも、４面ある貯水槽の内壁面６３のうちの１面に等間隔で並設されている。第１の取入口６１ａ１，６１ａ２，６１ｂ１，６１ｂ２にはそれぞれ、図５中に点線で示したような枝管が接続されている。更に４本の枝管は１本の第１排水配管７７に接続され、第１排水配管７７の他方の端部は、第２排水配管７８の他方の端部と共通排水配管７９とのＴ字分岐に向かって延びている。上述したように、第１排水配管７７には第１の連成計１０ａを設けるようにしてもよい。
【００２７】
一方、第２の排水開口部（６１ｃ１，６１ｃ２，６１ｄ１，６１ｄ２）をなす４個の第２の取入口６１ｃ１，６１ｃ２，６１ｄ１，６１ｄ２はいずれも、４面ある貯水槽の内壁面６３のうち、第１の取入口６１ａ１，６１ａ２，６１ｂ１，６１ｂ２が設けられた面に対向する面に、等間隔で並設されている。第２の取入口６１ｃ１，６１ｃ２，６１ｄ１，６１ｄ２にはそれぞれ、第１の取入口６１ａ１，６１ａ２，６１ｂ１，６１ｂ２の場合と同様に、枝管が接続されている。４本の枝管は１本の第２排水配管７８に接続され、第２排水配管７８の他方の端部は、第１排水配管７７の他方の端部と共通排水配管７９とのＴ字分岐に向かって延びている。第２排水配管７８には第２の連成計１０ｂを設けるようにしてもよい。
【００２８】
第１排水配管７７及び第２排水配管７８は、循環ポンプ７１の手前のＴ字分岐の箇所で合流し、共通排水配管７９を介して循環ポンプ７１に接続されている。図示を省略しているが、循環ポンプ７１の出力側には、必要に応じて、ゴミ採集用の装置や殺菌装置が接続され、ゴミの除去や殺菌処理を経た後、図示を省略した吐出配管等を経由して貯水槽へ吐出されることは第１の実施の形態と同様である。
【００２９】
第１の連成計１０ａ及び第２の連成計１０ｂを設けた場合の構成は、図１に示した連成計１０と等価な構造であるため重複説明を省略する。第１の連成計１０ａ及び第２の連成計１０ｂは、図１に示した連成計１０と同様に、第１排水配管７７及び第２排水配管７８のそれぞれの内部で測定されたゲージ圧が閾値以上の負圧のとき、循環ポンプ７１の駆動を停止する。尚、図５中では、循環ポンプ７１の駆動を停止する制御装置、モータ、スイッチ及び電源等の装置は紙面の都合上、図示を省略するが、第１の連成計１０ａ及び第２の連成計１０ｂを設ける場合には、第２の実施の形態に係る貯水設備においても、図１に示した制御装置７６、モータ７２、スイッチ７３及び電源７４等と等価な装置が設けられている。
【００３０】
第２の実施の形態に係る貯水設備の使用においては、例えば貯水設備の循環濾過中、第１の取入口６１ａ１，６１ａ２，６１ｂ１，６１ｂ２及び第２の取入口６１ｃ１，６１ｃ２，６１ｄ１，６１ｄ２を相補的に切り替えて排水及び循環濾過を行う。例えばまず、第１の取入口６１ａ１，６１ａ２，６１ｂ１，６１ｂ２を使用する際には、第１排水配管７７に設けられた第１電磁バルブ８２を開き、第２排水配管７８に設けられた第２電磁バルブ８３を相補的に閉じて循環排水を行いながら貯水設備を稼働する。第１電磁バルブ８２を開いている場合の稼働中は、第１の連成計１０ａによって第１排水配管７７内の連成圧を測定する。
【００３１】
第２の実施の形態に係る貯水設備によれば、一定周期で、第１の取入口６１ａ１，６１ａ２，６１ｂ１，６１ｂ２と第２の取入口６１ｃ１，６１ｃ２，６１ｄ１，６１ｄ２とを自動的に切り替えて相補的に排水及び循環濾過に使用する。すなわち、一定周期で一方の取入口群からの吸い込みが自動的に消失した直後に、他方の取入口群からの吸い込みを相補的に開始する。更に第１の取入口６１ａ１，６１ａ２，６１ｂ１，６１ｂ２と第２の取入口６１ｃ１，６１ｃ２，６１ｄ１，６１ｄ２とが、互いに対向して配置されているので、一定周期を数分以内の時間に設定しておけば、一定周期における取入口群の相補的な切り替えによって、排水方向が自動的に逆転するので、人間が呼吸停止や大量の水を飲みこむ前に、取入口に吸い付いた人間が取入口から離れることが可能になる。よって吸い付き事故を防止できることに加え、貯水設備の循環濾過が中断される時間を大幅に低減でき、貯水設備の循環濾過を効率的に実行できる。
【００３２】
また第２の実施の形態に係る貯水設備によれば、１方の排水開口部に含まれる複数の取入口を同時に用いて排水するので、取入口１個あたりで必要となる吸い込み圧を低減され、万が一そのうち取入口に人間が近づいても、残りの取入口から排水されるので、通常は人間が吸い付くような吸引圧力にはならないので、事故が未然に予防できる。
【００３３】
なお、第１の連成計１０ａ及び第２の連成計１０ｂを設けた場合の構成においては、先ず、第１電磁バルブ８２を開いている場合の稼働中は、第１の連成計１０ａによって第１排水配管７７内の連成圧を測定する。そして、第１の連成計１０ａによって測定されたゲージ圧が急激に大きくなり、閾値以上になった場合には、上記した第１の実施の形態で説明したように、循環ポンプ７１の駆動を停止するようにも出来る。その後、第１排水配管７７に設けられた第１電磁バルブ８２を閉じると共に、第２排水配管７８に設けられた第２電磁バルブ８３を開き、第２の取入口６１ｃ１，６１ｃ２，６１ｄ１，６１ｄ２を使用して排水及び循環濾過を行う。そして第２の連成計１０ｂによって第２排水配管７８内の連成圧を測定しつつ、貯水設備の循環濾過を継続する。
【００３４】
第１の連成計１０ａ及び第２の連成計１０ｂを設けた場合の構成においては、循環ポンプ７１の緊急停止状態に連動させて、第１の取入口６１ａ１，６１ａ２，６１ｂ１，６１ｂ２と第２の取入口６１ｃ１，６１ｃ２，６１ｄ１，６１ｄ２とを切り替えて選択的に排水及び循環濾過に使用するようなモードも可能である。すなわち循環ポンプ７１が緊急停止した状態になり、一方の取入口群からの吸い込みが消失した直後に、他方の取入口群からの吸い込みを開始するような動作も可能である。このようなモードの動作によっても、吸い付き事故を防止できることに加え、貯水設備を循環濾過する稼動が中断される時間を大幅に低減でき、貯水設備の循環濾過を効率的に実行できる。
【００３５】
＜その他の実施の形態＞
本発明は第１及び第２の実施の形態によって説明したが、この開示の一部をなす論述及び図面は、本発明を限定するものであると理解すべきではない。この開示から当業者には様々な代替実施の形態、実施例及び運用技術が明らかになると考えられるべきである。例えば本発明の貯水設備は、上記した第１及び第２の実施の形態で説明した構造を互いに部分的に組み合わせても構成できる。以上のとおり本発明は、本明細書及び図面に記載していない様々な実施の形態等を含むとともに、本発明の技術的範囲は、上記の説明から妥当な特許請求の範囲に係る発明特定事項によってのみ定められるものである。
【符号の説明】
【００３６】
１ｚ  蓋
１０，１０ａ，１０ｂ  連成計
６０    躯体
６１    排水桝
６１ａ  取入口（循環水配管端部）
６１ａ１〜６１ｄ１，６１ａ２〜６１ｄ２  取入口
６２    排水配管
６３    内壁面
６４    底面
７０    貯水領域
７１    循環ポンプ
７２    モータ
７３    スイッチ
７４    電源
７５    タイマ
７６，７６ａ  制御装置
７６１  圧力比較部
７６２  電力遮断部
７６３  タイマ起動部
７７    第１排水配管
７８    第２排水配管
７９    共通排水配管
８０    内部スクリーン
８１    濾過装置
８２    第１電磁バルブ
８３    第２電磁バルブ
【図１】
2019039295.tif 000003
【図２】
2019039295.tif 000004
【図３】
2019039295.tif 000005
【図４】
2019039295.tif 000006
【図５】
2019039295.tif 000007